(57)【要約】【課題】ペットと人が食べることが可能な食品の製造コストの削減か可能で、しかも食品原材料等表示媒体の製造コストの削減が可能である。【解決手段】ペットと人が食べることが可能な食品の原材料等を表示する食品原材料等表示媒体１であり、ペットが食べるペット用食品表示に合わせたペット用食品表示項目２と、このペット用食品表示項目２に対応するペット用食品表示内容３とを記載したペット用食品表示部４と、人が食べる人間用食品表示に合わせた人間用食品表示項目５と、この人間用食品表示項目５に対応する人間用食品表示内容６とを記載した人間用食品表示部７とを有する。【選択図】図１
2006027716.tif 000002
【特許請求の範囲】
【請求項１】
ペットと人が食べることが可能な食品の原材料等を表示する食品原材料等表示媒体であり、
ペットが食べるペット用食品表示に合わせたペット用食品表示項目と、このペット用食品表示項目に対応するペット用食品表示内容とを記載したペット用食品表示部と、
人が食べる人間用食品表示に合わせた人間用食品表示項目と、この人間用食品表示項目に対応する人間用食品表示内容とを記載した人間用食品表示部とを有することを特徴とする食品原材料等表示媒体。
【請求項２】
前記ペット用食品表示項目と前記ペット用食品表示内容の表示が、前記人間用食品表示項目と前記人間用食品表示内容の表示より多く設けられていることを特徴とする請求項１に記載の食品原材料等表示媒体。
【請求項３】
前記食品原材料等表示媒体の一方の面側に、前記ペット用食品表示部と前記人間用食品表示部とを設けたことを特徴とする請求項１または請求項２に記載の食品原材料等表示媒体。
【請求項４】
前記食品原材料等表示媒体の一方の面側に、前記ペット用食品表示部を設け、
他方の面側に、前記人間用食品表示部を設けたことを特徴とする請求項１または請求項２に記載の食品原材料等表示媒体。
【請求項５】
前記ペット用食品表示項目と前記人間用食品表示項目とを対応させて設けたことを特徴とする請求項１乃至請求項４のいずれか１項に記載の食品原材料等表示媒体。
【請求項６】
前記食品原材料等表示媒体が、包装用容器であることを特徴とする請求項１乃至請求項５のいずれか１項に記載の食品原材料等表示媒体。
【請求項７】
前記食品原材料等表示媒体が、包装用袋であることを特徴とする請求項１乃至請求項５のいずれか１項に記載の食品原材料等表示媒体。
【発明の詳細な説明】
【技術分野】
【０００１】
この発明は、ペットと人が食べることが可能な食品の原材料等を表示する食品原材料等表示媒体に関するものである。
【背景技術】
【０００２】
従来より、例えば子供が食べるビスケットは、穀物と糖類を含有するが粉末を含んでいない甘く固形のコンパクトな食品であり、このビスケットとして、穀物フレークを主成分とするビスケットが提案されている（例えば、特許文献１）。このようなビスケットは、犬が食べるビスケット状のドックフードと殆ど同じ原材料を用いて製造が行なわれ、ドックフードとして販売されている。
【特許文献１】特開平８−１７３０１４号公報（第１頁〜第６頁、図１）
【発明の開示】
【発明が解決しようとする課題】
【０００３】
このように、例えば子供が食べるビスケットとドックフードとは、殆ど同じ原材料を用いて製造が行なわれるが、それぞれ別々に製造して包装用容器や包装用袋に入れ、ビスケット用の食品原材料等表示を行ない、またドックフード用の食品原材料等表示を行ない販売されている。
【０００４】
このビスケットとドックフードとを同じ装置や機械で製造することができると、製造コストを削減できる。また、ペットと人が食べることか可能な食品の原材料等を表示する食品原材料等表示媒体の共通にすると、食品原材料等表示媒体の製造コストも削減できる。
【０００５】
この発明は、かかる点に鑑みてなされたもので、ペットと人が食べることが可能な食品の製造コストの削減か可能で、しかも食品原材料等表示媒体の製造コストの削減が可能な食品原材料等表示媒体を提供することを目的としている。
【課題を解決するための手段】
【０００６】
前記課題を解決し、かつ目的を達成するために、この発明は、以下のように構成した。
【０００７】
請求項１に記載の発明は、ペットと人が食べることが可能な食品の原材料等を表示する食品原材料等表示媒体であり、
ペットが食べるペット用食品表示に合わせたペット用食品表示項目と、このペット用食品表示項目に対応するペット用食品表示内容とを記載したペット用食品表示部と、
人が食べる人間用食品表示に合わせた人間用食品表示項目と、この人間用食品表示項目に対応する人間用食品表示内容とを記載した人間用食品表示部とを有することを特徴とする食品原材料等表示媒体である。
【０００８】
請求項２に記載の発明は、前記ペット用食品表示項目と前記ペット用食品表示内容の表示が、前記人間用食品表示項目と前記人間用食品表示内容の表示より多く設けられていることを特徴とする請求項１に記載の食品原材料等表示媒体である。
【０００９】
請求項３に記載の発明は、前記食品原材料等表示媒体の一方の面側に、前記ペット用食品表示部と前記人間用食品表示部とを設けたことを特徴とする請求項１または請求項２に記載の食品原材料等表示媒体である。
【００１０】
請求項４に記載の発明は、前記食品原材料等表示媒体の一方の面側に、前記ペット用食品表示部を設け、
他方の面側に、前記人間用食品表示部を設けたことを特徴とする請求項１または請求項２に記載の食品原材料等表示媒体である。
【００１１】
請求項５に記載の発明は、前記ペット用食品表示項目と前記人間用食品表示項目とを対応させて設けたことを特徴とする請求項１乃至請求項４のいずれか１項に記載の食品原材料等表示媒体である。
【００１２】
請求項６に記載の発明は、前記食品原材料等表示媒体が、包装用容器であることを特徴とする請求項１乃至請求項５のいずれか１項に記載の食品原材料等表示媒体である。
【００１３】
請求項７に記載の発明は、前記食品原材料等表示媒体が、包装用袋であることを特徴とする請求項１乃至請求項５のいずれか１項に記載の食品原材料等表示媒体である。
【発明の効果】
【００１４】
前記構成により、この発明は、以下のような効果を有する。
【００１５】
請求項１に記載の発明によれば、ペットと人が食べることが可能な食品の原材料等を表示する食品原材料等表示媒体に、ペットが食べるペット用食品表示に合わせたペット用食品表示部と、人が食べる人間用食品表示に合わせた人間用食品表示部とを設けることで、ペットと人が食べることが可能な食品の製造コストの削減か可能で、しかも食品原材料等表示媒体の製造コストの削減が可能である。
【００１６】
請求項２に記載の発明によれば、ペット用食品表示項目とペット用食品表示内容の表示が、人間用食品表示項目と人間用食品表示内容の表示より多く設けられ、ペット用食品として保管や取扱を行なうことが容易である。
【００１７】
請求項３に記載の発明によれば、食品原材料等表示媒体の一方の面側に、ペット用食品表示部と人間用食品表示部とを設けており、ペットと人が食べることが可能な食品の包装用容器や包装用袋に容易に貼り付け、あるいは印刷することができる。
【００１８】
請求項４に記載の発明によれば、食品原材料等表示媒体の一方の面側に、ペット用食品表示部を設け、他方の面側に、人間用食品表示部を設けることで、ペットと人が食べることが可能な食品に応じた表示を包装用容器や包装用袋に貼り付け、あるいは印刷することができる。
【００１９】
請求項５に記載の発明によれば、ペット用食品表示項目と人間用食品表示項目とを対応させて設けることで、同時に見ることができ、より確実に食品の保管や取扱等の間違いをなくすことが可能である。
【００２０】
請求項６に記載の発明によれば、食品原材料等表示媒体が、包装用容器であり、特別な表示媒体を用いることなく、包装用容器に直接表示することができる。
【００２１】
請求項７に記載の発明によれば、食品原材料等表示媒体が、包装用袋であり、特別な表示媒体を用いることなく、包装用袋に直接表示することができる。
【発明を実施するための最良の形態】
【００２２】
以下、この発明の食品原材料等表示媒体の実施の形態について説明する。この発明の実施の形態は、発明の最も好ましい形態を示すものであり、この発明はこれに限定されない。
【００２３】
図１は食品原材料等表示媒体の構成を示す図である。この実施の形態の食品原材料等表示媒体１は、例えば紙、樹脂シート等で形成され、ペットと人が食べることが可能な食品の原材料等を表示する。この食品原材料等表示媒体１は、ペットが食べるペット用食品表示に合わせたペット用食品表示項目２と、このペット用食品表示項目２に対応するペット用食品表示内容３とを記載したペット用食品表示部４と、人が食べる人間用食品表示に合わせた人間用食品表示項目５と、この人間用食品表示項目５に対応する人間用食品表示内容６とを記載した人間用食品表示部７とを有する。
【００２４】
ペット用食品表示項目２は、原材料、内容量、賞味期限、目的食別種類、形状別種類、粒形態別分類、価格帯別種類、水分含有別分類、原産国、カロリー、保管方法、注意事項、保証栄養成分、一日の給与量の目安、製造元、発売元がある。ペット用食品表示内容３には、ペット用食品表示項目２に応じて記載されている。
【００２５】
また、人間用食品表示項目５は、原材料、内容量、賞味期限、カロリー、保存方法、注意事項、栄養成分、製造者、発売元がある。人間用食品表示内容６には、人間用食品表示項目５に応じて記載されている。
【００２６】
ペットと人が食べることが可能な食品は、原材料、内容量、賞味期限、目的食別種類、形状別種類、粒形態別分類、価格帯別種類、水分含有別分類、原産国、カロリー、製造元、発売元等は同じであるが、ペット用食品表示部４は、ペットが食べるペット用食品表示に合わせた表示になっており、また人間用食品表示部７は、人が食べる人間用食品表示に合わせた表示になっている。
【００２７】
このように、ペットと人が食べることが可能な食品の原材料等を表示する食品原材料等表示媒体１に、ペットが食べるペット用食品表示に合わせたペット用食品表示部４と、人が食べる人間用食品表示に合わせた人間用食品表示部７とを設けることで、ペットと人が食べることが可能な食品の製造コストの削減か可能で、しかも食品原材料等表示媒体１の製造コストの削減が可能である。
【００２８】
また、ペット用食品表示項目２は、目的食別種類、形状別種類、粒形態別分類、価格帯別種類、水分含有別分類、原産国、一日の給与量の目安を有し、人間用食品表示項目５より多く表示し、ペット用食品として保管や取扱を行なうことが容易である。
【００２９】
また、食品原材料等表示媒体１の一方の面側に、ペット用食品表示部４と人間用食品表示部７を設けており、同時にペット用食品表示と人間用食品表示を見ることができ、ペットと人が食べることが可能な食品の包装用容器や包装用袋に容易に貼り付け、あるいは印刷することができる。
【００３０】
また、ペット用食品表示項目２と人間用食品表示項目５とを並べて対応させて設けており、ペット用食品表示項目２に対応するペット用食品表示内容３と、人間用食品表示項目５に対応する人間用食品表示内容６とを同時に見ることができ、より確実に食品の保管や取扱等の間違いをなくすことが可能である。
【００３１】
図２及び図３は食品原材料等表示媒体の他の実施の形態の構成を示す図である。この実施の形態の食品原材料等表示媒体１は、同様に例えば紙、樹脂シート等で形成され、図２に示す一方の面側１ａには、ペット用食品表示部４を設け、図３に示す他方の面側１ｂには人間用食品表示部７を設けている。ペット用食品表示部４には、ペットが食べるペット用食品表示項目２と、このペット用食品表示項目２に対応するペット用食品表示内容３とが記載され、人間用食品表示部７には人が食べる人間用食品表示項目５と、この人間用食品表示項目５に対応する人間用食品表示内容６とが記載されている。
【００３２】
この実施の形態の食品原材料等表示媒体１は、ペットと人が食べることが可能な食品を、ペットが食べるペット用食品として販売する場合は、一方の面側１ａのペット用食品表示部４が見えるようにして包装用容器や包装用袋に入れる。また、人が食べる人間用食品として販売する場合は、他方の面側１ｂの人間用食品表示部７が見えるようにして包装用容器や包装用袋に入れる。
【００３３】
このように、ペットと人が食べることが可能な食品を、ペット用食品表示、あるいは人間用食品表示を行ない、食品に対応しない不要な食品表示は容易に隠すことができる。
【００３４】
次に、食品原材料等表示媒体１を包装用容器に設ける実施の形態を、図４及び図５に示す。図４はペットが食べるペット用商品の包装用容器１０に食品原材料等表示媒体１を貼り付ける実施の形態を示す。図５は人が食べる人間用食品の包装用容器１１に食品原材料等表示媒体１を貼り付ける実施の形態を示す。この実施の形態では、食品原材料等表示媒体１を包装用容器１０，１１に印刷によって設けてもよく、特別な表示媒体を用いることなく、包装用容器１０，１１に直接表示することができる。
【００３５】
次に、食品原材料等表示媒体１を包装用袋に設ける実施の形態を、図６及び図７に示す。図６はペットが食べるペット用食品の包装用袋２０に食品原材料等表示媒体１を貼り付ける実施の形態を示す。図７は人が食べる人間用食品の包装用袋２１に食品原材料等表示媒体１を貼り付ける実施の形態を示す。この実施の形態では、食品原材料等表示媒体１を包装用袋２０，２１に印刷によって設けてもよく、特別な表示媒体を用いることなく、包装用袋２０，２１に直接表示することができる。
【産業上の利用可能性】
【００３６】
この食品原材料等表示媒体は、ペットと人が食べることが可能な食品の原材料等を表示する食品原材料等表示媒体であり、ペットが食べるペット用食品表示に合わせたペット用食品表示部と、人が食べる人間用食品表示に合わせた人間用食品表示部とを設けることで、ペットと人が食べることが可能な食品の製造コストの削減か可能で、しかも食品原材料等表示媒体の製造コストの削減が可能である。
【図面の簡単な説明】
【００３７】
【図１】食品原材料等表示媒体の構成を示す図である。
【図２】食品原材料等表示媒体の他の実施の形態の構成を示す図である。
【図３】食品原材料等表示媒体の他の実施の形態の構成を示す図である。
【図４】ペットが食べるペット用食品の包装用容器に食品原材料等表示媒体を貼り付ける実施の形態を示す図である。
【図５】人が食べる人間用食品の包装用容器に食品原材料等表示媒体を貼り付ける実施の形態を示す図である。
【図６】ペットが食べるペット用食品の包装用袋に食品原材料等表示媒体を貼り付ける実施の形態を示す図である。
【図７】人が食べる人間用食品の包装用袋に食品原材料等表示媒体を貼り付ける実施の形態を示す図である。
【符号の説明】
【００３８】
１  食品原材料等表示媒体
２  ペット用食品表示項目
３  ペット用食品表示内容
４  ペット用食品表示部
５  人間用食品表示項目
６  人間用食品表示内容
７  人間用食品表示部
１０，１１  包装用容器
２０，２１  包装用袋
【図１】
2006027716.tif 000003
【図２】
2006027716.tif 000004
【図３】
2006027716.tif 000005
【図４】
2006027716.tif 000006
【図５】
2006027716.tif 000007
【図６】
2006027716.tif 000008
【図７】
2006027716.tif 000009